(57)【要約】【課題】サイズの異なる二種類の包装物を一緒に包装しても、各包装物を保護できる包装箱を提供すること。【解決手段】包装箱の天井を、高低差のある二段の上面で構成し、高い上面側に高い収納物を入れ、低い第二上面側に低い包装物を入れる。包装箱は一枚の展開形状を折って構成し、予め上側が開放された５面構成の箱に組み上げてから、左右の面を互いに外側へ撓ませつつ、前面の上方に連接させた第二上面や第二前面を折って階段状の天井を形成する。【選択図】図１
2017065789.tif 000002
【特許請求の範囲】
【請求項１】
それぞれ対向する上面（５６）と下面（６２〜６５）、前面（５）と後面（４７）、および左面（１７）と右面（３２）からなる六面体を成し、内部に包装物（２、３）を包装する包装箱（１）において、
該上面は該下面より小さく稜線を介して該後面および該左面と該右面に接し、
該前面は該後面より小さく稜線を介して該下面および該左面と該右面に接し、
さらに該上面より所定量だけ下方に位置する第二上面（７）および該前面より所定量 だけ後方に位置する第二前面（９）を有し、
該上面および該第二上面の面積の合計は該下面に等しく、
該前面および該第二前面の面積の合計は該後面に等しく、
該第二上面は上前折線（６）を山折りして該前面に接すると共に第二上前折線（８）を谷折りして該第二前面に接し、
該第二前面は第三上前折線（１０）を山折りして該上面に接することを特徴とする包装箱。
【請求項２】
該包装箱は一枚の板材から切り出した展開形状（４）を折り曲げて形成され、
該展開形状は、該前面の上に上前折線を介して該第二上面、該第二上面の上に第二上前折線を介して該第二前面を有し、
該展開形状を該包装箱の形に折曲げた時、該第二上面は該上前折線で９０度折曲がって該前面に連なり、該第二前面は該第二上前折線で９０度折曲がって該第二上面に連なることを特徴とする請求項１に記載の包装箱。
【請求項３】
該展開形状において、
該前面の左に左前折線（１８）を介して該左面、該前面の右に右前折線（３３）を介して該右面を有し、
該左面は該右前折線と該上前折線の交点（１９）から斜め左上方向に延びる左斜折線（２１）で第二左面（２２）とに区分され、
該右面は該右前折線と該上前折線の交点（３４）から斜め右上方向に延びる右斜折線（３６）で第二右面（３７）とに区分され、
該第二左面は該左前折線の延長線上にある第二左前折線（２５）を介して該第二上面に接し、
該第二右面は該右前折線の延長線上にある第二右前折線（４０）を介して該第二上面に接し、
該展開形状を該包装箱の形に折曲げた時、
該第二左面は該左斜折線で１８０度折曲がって該左面に重なり、かつ該第二左前折線で９０度折曲がって該第二上面に連なり、
該第二右面は該右斜折線で１８０度折曲がって該右面に重なり、かつ該第二右前折線で９０度折曲がって該第二上面に連なること、
を特徴とする請求項１又は請求項２に記載の包装箱。
【請求項４】
該展開形状において、
該第二左面の上に第二左上折線（２６）を介して左前面（２７）を有し、該第二左面の右上に該第二左前折線と該第二左上折線の交点から左上へ伸びる左中折線（２８）を介して
第二左前面（２９）を有し、該第二左前面の右に第三左前折線（３０）を介して該第二前面を有し、
該第二右面の上に第二右上折線（４１）を介して右前面（４２）を有し、該第二右面の左上に該第二右前折線と該第二右上折線の交点から右上へ伸びる右中折線（４３）を介して
第二右前面（４４）を有し、該第二右前面の左に第三右前折線（４５）を介して該第二前面を有し、
該展開形状を該包装箱の形に折曲げた時、
該第二左前面が該第三左前折線で１８０度折曲がって該第二前面に重なり、該左前面が該左中折線で１８０度折曲がって該第二左前面に重なるとともに該第二左上折線で９０度折曲がって該第二左面に連なり、
該第二右前面が該第三右前折線で１８０度折曲がって該第二前面に重なり、該右前面が該右中折線で１８０度折曲がって該第二右前面に重なるとともに該第二右上折線で９０度折曲がって該第二右面に連なることを特徴とする請求項１乃至請求項３の何れか一項に記載の包装箱。
【請求項５】
該展開形状において、
該第二前面の上に第三上前折線（１０）を介して前折返面（１１）を有し、該前折返面の左に左折返線（１３）を介して左折返面（１４）を有し、、該前折返面の右に右折返線（１５）を介して右折返面（１６）を有し、
該展開形状を該包装箱の形に折曲げた時、
該前折返面が該第三上前折線で１８０度折曲がって該第二前面と共に、該左前面と該第二左前面および該右前面と該第二右前面を挟み、該左折返面を該左面の裏側に重ね該左折返面の先端を該後面の裏側に当接し、該右折返面を該右面の裏側に重ね該右折返面の先端を該後面の裏側に当接することを特徴とする請求項１乃至請求項４の何れか一項に記載の包装箱。
【請求項６】
該展開形状にて、該第三上前折線の中央部に上下対称形状の穴（１２）を有することを特徴とする請求項１乃至請求項５の何れか一項に記載の包装箱。
【請求項７】
該第二左上折線の長さは、該左面の該前面から該後面に至る長さの半分以下であり、
該第二右上折線の長さは、該右面の該前面から該後面に至る長さの半分以下であることを特徴とする請求項１乃至請求項６の何れか一項に記載の包装箱。
【請求項８】
該展開形状において、
該左前面（７２）の左側を該第二左上折線（７６）から上へ伸びる第二左切欠線（７５）によって切欠き、
該右前面（７７）の左側を該第二右上折線（８１）から上へ伸びる第二右切欠線（８０）によって切欠き、
もって該第二左上折線と該第二右上折線の長さをより短くしたことを特徴とする請求項１乃至請求項７の何れか一項に記載の包装箱。
【請求項９】
該展開形状において、
該第二左前面（８２）の上側を該第三左前折線（８６）から上へ伸びる第二左前切欠線（８５）によって切欠き、
該第二右前面（８７）の上側を該第三右前折線（９１）から上へ伸びる第二右前切欠線（９０）によって切欠き、
もって該第三左前折線と該第三右前折線の長さをより短くしたことを特徴とする請求項１乃至請求項８の何れか一項に記載の包装箱。
【請求項１０】
該上面は、上後折線（５５）を介して該後面に対し開閉可能にヒンジ回動し、
該上面を開いた開口部（１ｂ）から、該包装物を出し入れすることを特徴とする請求項１乃至請求項９の何れか一項に記載の包装箱。
【請求項１１】
該後面の上に吊下折線（５１）を介して吊下面（５２）を有し、該吊下面の上に第二吊下折線（５３）を介して第二吊下面（５４）を有し、該第二吊下面の上に該上後折線を介して該上面を有し、
該第二吊下折線を線対称にして該吊下面および該第二吊下面に対称形状の吊下穴（５７、５８）を設けたことを特徴とする請求項１乃至請求項１０の何れか一項に記載の包装箱。
【請求項１２】
該左面の左に左後折線（４８）を介して該後面を有し、該後面の上に該上後折線を介して該上面を有することを特徴とする請求項１乃至請求項１１の何れか一項に記載の包装箱。
【請求項１３】
該右面の右に右後折線を介して該後面を有し、該後面の上に該上後折線を介して該上面を有することを特徴とする請求項１乃至請求項１２の何れか一項に記載の包装箱。
【発明の詳細な説明】
【技術分野】
【０００１】
本発明は、包装物を包装する包装箱に関し、特に箱の上面に段差を設けて高さの異なる複数の包装物を一緒に包装する包装箱に関する。
【背景技術】
【０００２】
包装物を包装する包装箱においては、従来より紙材を用いて形成したものが広く普及している。また、特に上面に凹凸形状を有する包装物を包装する箱の場合、包装物を保護する為に、その凹凸形状に合わせて箱の形状が工夫されたものが見られる。
【０００３】
特許文献１には、「逆Ｔ字型」形状の包装物を直方体の包装箱へ収めるに当たり、内フラップ先端を角筒状に折り曲げて、包装物の上面両端に生じる空間を埋める方法が記載されている。この場合、折り曲げ部が包装物の凹部に当接して横ずれや上下動を規制するため、搬送時に衝撃が加わった場合にも包装物が箱内で破損するといったことが防止される。
【０００４】
また、特許文献２には、「Ｌ字型」形状の包装物を包装するため、包装物の形状に合わせて箱上面の高さを変え、各高さの面毎に蓋フラップを設けて包装物の上面を覆う技術が開示されている。この発明に係る包装箱では、段差を有する包装物を無駄な空間を生じることなく包装し、フラップ同士を係合させて封緘を容易に行ない、複数個の包装箱を交互に上下反転してコンパクトに積み上げることができる。
【先行技術文献】
【特許文献】
【０００５】
【特許文献１】特開２００３−４０２４９公報
【特許文献２】特開２００９−１５４９６１公報
【発明の概要】
【発明が解決しようとする課題】
【０００６】
ところで、サイズの異なる二種類の包装物を一緒に包装する場合、先行技術では対応しきれないことがある。例えば、フォトプリンタ装置の消耗品として、印刷用紙とインクカセットとをセット販売する様な場合である。現状では図２０Ａの様に、直方体の包装箱１０１にインクカセット１０２とペーパーセット１０３を一緒に入れて出荷している。この場合、ペーパーセット１０３はインクカセット１０２よりも高さが所定量高いので、図２０の様に並べると、包装される包装物は、一見「Ｌ字型」の様にもみえる。しかしこれは従来例の様に個の一体物ではなく、包装箱の中で互いに遊離しあう複数の物品である。
【０００７】
よって、特許文献１の様に、包装物の形状に合わせてフラップ先端を角筒状に巻きこんだだけのものでは、包装箱の中で遊離しあう各包装物の動きを的確に抑制しきれず、角筒部の形状が容易に崩れて緩衝効果を失うことになる。また特許文献２の様に包装物の形状に合わせて蓋フラップを重ねた構成では、包装箱上面が外圧を受けた場合に包装物が押されやすく、包装物を痛める可能性がある。
【０００８】
この対策として、図２０Ｂの様に、包装箱１０１内部に緩衝材１０４などを詰めて、高さが低いインクカセット１０２の動きを抑制する方法もある。しかし梱包作業においてこの緩衝材１０４の入れ忘れや、緩衝材１０４の追加コスト、廃却方法など新たな問題を招く要因となる。
【０００９】
そこで、本発明の目的は、サイズの異なる二種類の包装物を一緒に包装しても、各包装物を破損せずに保護できる、包装箱を提供することにある。
【課題を解決するための手段】
【００１０】
上記の目的を達成するために、本発明に係る包装箱は、
それぞれ対向する上面（５６）と下面（６２〜６５）、前面（５）と後面（４７）、および左面（１７）と右面（３２）からなる六面体を成し、内部に包装物（２、３）を包装する包装箱（１）において、
該上面は該下面より小さく稜線を介して該後面および該左面と該右面に接し、
該前面は該後面より小さく稜線を介して該下面および該左面と該右面に接し、
さらに該上面より所定量だけ下方に位置する第二上面（７）および該前面より所定量 だけ後方に位置する第二前面（９）を有し、
該上面および該第二上面の面積の合計は該下面に略等しく、
該前面および該第二前面の面積の合計は該後面に略等しく、
該第二上面は上前折線（６）を山折りして該前面に接すると共に第二上前折線（８）を谷折りして該第二前面に接し、
該第二前面は第三上前折線（１０）を山折りして該上面に接することを特徴とする。
【発明の効果】
【００１１】
本発明によれば、サイズの異なるペーパーセット（２）とインクカセット（３）を同一の包装箱に包装した状態で、落下や衝撃を受けてもや包装物が破損しない包装箱を提供することができる。また箱から包装物を取り出す際には、複数梱包された包装物のうち、ペーパーセット（２）だけを図１の様に取り出したり等も可能である。
【図面の簡単な説明】
【００１２】
【図１】本発明による包装箱
【図２】包装箱の展開形状
【図３】包装箱の組立手順図
【図４】包装箱の組立手順図
【図５】包装箱の組立手順図
【図６】包装箱の組立手順図
【図７】包装箱の組立手順図
【図８】包装箱の組立手順図
【図９】包装箱の組立手順図
【図１０】包装箱の組立手順図
【図１１】包装箱の組立手順図
【図１２】包装箱の組立手順図
【図１３】包装箱の組立手順図
【図１４】包装箱の展開形状（第二実施例）
【図１５】包装箱の組立手順図
【図１６】包装箱の組立手順図
【図１７】包装箱の組立手順図
【図１８】包装箱の組立手順図
【図１９】包装箱の組立手順図
【図２０】従来例による包装箱
【発明を実施するための形態】
【００１３】
以下に、本発明の好ましい実施の形態を、添付の図面に基づいて詳細に説明する。
【実施例１】
【００１４】
本発明の第１実施例による、包装箱について説明する。
【００１５】
図１において、１は本発明による包装箱で、この中にインクカセット２を２ヶと、ペーパーセット３を６ヶ包装する。インクカセット２はインクを塗ったフィルムを筒状に巻いて筺体に包装したもので、図１の様に縦長に置くと、高さは約１４０ｍｍである。また、ペーパーセット３は印刷用紙をポリ袋に入れ封緘したもので、同じく高さは約１８０ｍｍである。
【００１６】
包装箱１は、紙厚０．５ｍｍ、重量４００ｇ／平米のコートボール紙を、図２の様な一枚の展開形状４に切り抜き、各折線に沿って折り曲げ、必要箇所を糊貼りして形成したものである。箱上面１ａを開くと開口部１ｂが現れ、ここからペーパーセット２とインクカセット３を収納できる。１ｃは箱上面１ａを開けやすい様に設けた切欠き部である。また１ｄは吊下げ部で、店頭販売時等に吊下式ラック等へ吊り下げる場合等に用いるものである。この包装箱１の特徴は、通常の直方体の箱と異なり、箱上面１ａとそれより一段低い第二の箱上面１ｅで上面を形成していることである。これによって、背の低いインクカセット２と背の高いペーパーセット３のそれぞれに応じた収納高さスペースを有する箱となっている。
【００１７】
図２Ａにて、この包装箱１の展開形状４について説明する。展開形状４は、表側が包装箱１の外観側であり、意匠デザイン等が印刷される。５は前面で、この上側に上前折線６を介して第二の箱上面１ｅに相当する第二上面７、その上側に第二上前折線８を介して第二前面９、さらに第三上前折線１０を介して前折返面１１がある。この第三上前折線１０の中央部には、第三上前折線１０を中心に上下対称となる様に円形の切欠き部１２が空けてあり、その分第二前面９と前折返面１１は半円形に切り欠かれた状態になっている。そして、前折返面１１の左側に左折返線１３を介して左折返面１４と、右側に右折返線１５を介して右折返面１６がある。
【００１８】
つぎに、１７は左面で、左前折線１８を介して前面５に接し、図２Ｂの様に、左前折線１８と上前折線６が交わる点１９から斜め左上方向に延び点２０に達する左斜折線２１にて、第二左面２２を切欠かれている。この上側には左上折線２３を介して左フラップ２４がある。また第二左面２２は左前折線１８の延長線上にある第二左前折線２５を介して第二上面７に接し、第二左上折線２６を介して左前面２７がある。ここで、第二左上折線２６の長さは、左面１７の横幅長さの半分以下にしてある。さらに左中折線２８を介して第二左前面２９があり、左前折線１８の延長線上にある第三左前折線３０を介して第二前面９に接する。なお、第三上前折線１０と第三左前折線３０の交点を点３１とする。
【００１９】
つぎに、３２は右面で、右前折線３３を介して前面５に接し、右前折線３３と上前折線６が交わる点３４から斜め左上方向に延び点３５に達する右斜折線３６にて、第二右面３７を切欠かれている。この上側には左上折線３８を介して右フラップ３９がある。また第二右面３７は右前折線３３の延長線上にある第二右前折線４０を介して第二上面７に接し、第二右上折線４１を介して右前面４２がある。ここで、第二右上折線４１の長さは、右面３２の横幅長さの半分以下にしてある。さらに右中折線４３を介して第二右前面４４があり、右前折線３３の延長線上にある第三右前折線４５を介して第二前面９に接する。なお、第三上前折線１０と第三右前折線４５の交点を点４６とする。
【００２０】
この様に、左面１７と右面３２とはその周辺構成を含めて前面５を中心とした左右対称の形状となっている。
【００２１】
次に、図２Ａにおいて、４７は後面で、左面１７の左に左後折線４８を介して接している。また、４９は糊貼り面で、右後折線５０を介して後面４７に接している。なお、図示しないが、これとは左右対称に、後面４７を右面３２の右に設け、その右側へ糊貼り面４９を隣接させてもよい。この場合の展開形状は図２を表裏反転した如き形状となる。この選択は、加工設備や意匠デザイン等の理由により随意行なう事ができる。
【００２２】
次に、後面４７の上側には吊下折線５１を介して吊下面５２があり、さらに第二吊下折線５３を介して第二吊下面５４があり、上後折線５５を介して箱上面１ａに相当する上面５６がある。また第二吊下折線５３を線対称にして吊下面５２および第二吊下面５４には対称形状の吊下穴５７および５８があり、第二吊下面５４の裏面側には糊貼り部５９がある。なお、吊下面５２と第二吊下面５４を省略し、後面４７の上側に上後折線５５を介して上面５６を直接設けても良い。この場合、包装箱１は吊下げ部１ｄの無い形状となる。そして差込折線６０を介して差込面６１がある。
【００２３】
また、６２〜６５は下面である。この包装箱は下面構成を所謂ワンタッチ底方式で形成しており、下面６２〜６５は公知の方式によって構成されるため詳細は省略する。
【００２４】
この包装箱１の展開形状４は以上の様に構成されている。よって先述の様に、通常の箱と異なり箱上面１ａより一段低い第二箱上面１ｅが存在する包装箱１を、特別な部材を追加することなく、通常の直方体の箱と同様に一枚のコートボール紙から切り出して作成できる。また展開形状４においても特別に延長した部分がなく通常の展開形状にて余白となる部分を効率的に利用しているので、材料や抜き型をサイズアップせずに実現することができる。
【００２５】
次に、この展開形状４を糊貼りする方法について説明する。図３は図２の展開形状４を裏面側から見た斜視図である。まず、図３から図４の様に第二吊下折線５３を１８０度折って第二吊下面５４を第一吊下面５２の裏に密着し、糊貼り部５９で糊貼りする。これは先述の様に吊下げ部１ｄの無い場合は省略される。そして下面６２〜６５を図４の様に折る。次に、図５Ａの様に左後折線４８を１８０度折って後面４７を左面１７の裏に密着し、そのまま右前折線３３も１８０度折って右面３２を前面５の裏に密着する。すると図５Ｂの様に糊貼り面４９の表側に右面３２の裏が密着するので、これを糊貼りする。なお、このとき第二右前折線４０と第三右前折線４５も一緒に１８０度折られた状態となる。なお、下面６２〜６５については、公知例に倣って所謂ワンタッチ底方式と同様に糊貼りする。
【００２６】
こうして展開形状４は図５Ｂの様に折り畳み状態となる。
【００２７】
次に、この折り畳み状態から包装箱１に立ち上げる方法を説明する。
【００２８】
まず図５Ｂを裏返して図６Ａの状態にする。そして図６Ｂの様に１８０度に折られた左後折線４８と右前折線３３を９０度に戻しつつ同時に右後折線５０と左前折線１８を９０度に折る。すると前面５と後面４７に対し左面１７と右面３２が垂直な面となり、同時に所謂ワンタッチ底方式に倣って下面６２〜６５が組み合わされる。なお、このとき第二右前折線４０と第三右前折線４５も一緒に１８０度折りから９０度に戻り、かつ第二左前折線２５と第三左前折線３０が左前折線１８と一緒に９０度折られた状態となる。こうしてまず図６Ｂの様に上面側が開放された５面構成の箱を形成する。
【００２９】
次に、図７Ａから図７Ｂの様に、左面１７の点２０と右面３２の点３５が互いに離反する様に引張って左面１７と右面３２を湾曲させる。すると、点２０から第二左上折線２６と第二上前折線８と第二右上折線４１を経て点３５に至る各折線が略一直線上に揃った状態となる。これらを図８Ａの様に折って、さらに図８Ｂの様に１８０度まで折り、第二前面９を第二上面７に密着させ、左前面２７と第二左前面２９を第二左面２２に密着させ、右前面４２と第二右前面４４を第二右面３７に密着させる。このとき、点２０から点３５に至る各折線を無理なくスムーズに折るためには、第二左上折線２６と第二上前折線８と第二右上折線４１を図７Ｂの様に一直線上に揃えておくことが重要である。これが一直線に揃わないと各折線を同時に折り曲げる事が出来ず、各面に無理な力が掛かって曲がったり、各折線に亀裂が入ったりしやすい。
【００３０】
しかし、図２Ｂで示した様に、第二左上折線２６の長さは左面１７の横幅長さの半分以下で、第二右上折線４１の長さも右面３２の横幅長さの半分以下にしてある。したがって、点２０から前面側の第二上前折線８を経て点３５に至る距離は、点２０から後面側を経て点３５に至る距離と同等以下に抑えられる。よって、左面１７と右面３２を外側に湾曲させれば、図７Ｂの様に点２０から第二左上折線２６と第二上前折線８と第二右上折線４１を経て点３５までを一直線に揃えることが可能である。よって、図８Ａから図８Ｂの様に各折線を無理なくスムーズに折ることができる。
【００３１】
さて、図８Ｂの様に第二左上折線２６と第二上前折線８と第二右上折線４１を１８０度折った状態で、次に図９Ａの様に第三左前折線３０と第三右前折線４５を折る。すると、一緒に第二左前折線２５と第二右前折線４０も９０度に折られ、左面１７と右面３２の湾曲も元に戻って図９Ｂの状態になる。ここで第二左上折線２６と第二右上折線４１をしっかり１８０度折りしてクセを付けておくと、紙材のコシによって第二左上折線２６と第二右上折線４１の折り曲げが戻るのを防止できて、以後の作業が容易になる。
【００３２】
次に、図１０Ａの様に、左中折線２８と右中折線４３を折りながら第二前面９と前折返面１１を起こし、そのまま図１０Ｂの様に第二上前折線８を１８０度折りから９０度に戻す。同時に第三左前折線３０と第三右前折線４５を９０度から１８０度に折り、左中折線２８と右中折線４３も１８０度折りして共にしっかりクセを付ける。すると第二前面９と前折返面１１が前面５と平行になるので、左折返線１３と右折返線１５を折り、第三上前折線１０も折って図１１Ａの様にする。このとき第二前面９の裏側には、図１２の様に、左中折線２８で１８０度折りされた左前面２７と第二左前面２９と、右中折線４３で１８０度折りされた右前面４２と第二右前面４４がある。そこで図１１Ａから図１１Ｂの様に第三上前折線１０をさらに折って、これらを第二前面９と前折返面１１でサンドイッチする様に挟み、図１１Ｃの様に左折返線１３を９０度に戻して左折返面１４を左面１７の裏面に密着させ、かつ右折返線１５も９０度に戻して右折返面１６を右面３２の裏面に密着させる。また、第三上前折線１０の中央部には上下対称に円形の切欠き部１２が空けられているので、第三上前折線１０を折ると切欠き部１２が半円状になる。最後に、図１３Ａの様に上後折線５５を折って上面５６を起こし、図１３Ｂの様に左フラップ２４と右フラップ３９とを倒してから差込折線６０を折って差込面６１を差し込むと、図１３Ｃの様に包装箱１が完成する。
【００３３】
この包装箱１の形状をみると、基本的には、それぞれ対向する上面５６と下面６２〜６５、前面５と後面４７、および左面１７と右面３２からなる六面体である。しかし特徴的な形として、上面５６は下面６２〜６５の約半分の面積で前側を一段低い第二上面７にて構成し、これに呼応する形で、前面５も後面４７より小さい面積で上側を一段後退した第二前面９にて構成している。すなわち、前面５から上前折線６を介して第二上面７があり、さらに第二上前折線８を介して第二前面９、さらに第三上前折線１０を介して上面５６に至る、言わば階段状の形状を成している。したがって、図１の様にサイズの異なる包装物を一緒に包装する場合、それぞれに応じた適切な収容スペースを形成することが可能である。また、従来例の直方体の箱１０１と比較した場合、この包装箱１は図１３Ｃの様に左面１７から右面３２に至る横方向にＬ字型の断面がより多く存在し、その分より強度の高い箱を形成することができる。また、左面１７と右面３２の裏側を第二左面２２と第二右面３７で覆っているので左面１７と右面３２の裏側が露出して美観を損なう事がなく、ここに意匠デザイン等を施してより美麗な包装形態を訴求することもできる。
【００３４】
また、第二前面９の裏側は、図１２の様に、第二左前面２９が第三左前折線３０で１８０度折曲がって第二前面９に重なっている。そして左前面２７が左中折線２８で１８０度折曲がって第二左前面２９に重なり、かつ左前面２７は第二左上折線２６で９０度折曲がって図１３Ｃに示した第二左面２２に連なっている。これらを第二前面９と前折返面１１で挟むので、第二左面２２に対する第二前面９の相対位置をしっかり固定できる。同様に、第二右前面４４が第三右前折線４５で１８０度折曲がって第二前面９に重なっている。そして右前面４２が右中折線４３で１８０度折曲がって第二右前面４４に重なり、かつ右前面４２は第二右上折線４１で９０度折曲がって図１３Ｃに示した第二右面３７に連なっている。これらを第二前面９と前折返面１１で挟むので、第二右面３７に対する第二前面９の相対位置をしっかり固定できる。これによって、左面１７から右面３２に至る距離が固定されるので、強度の高い箱を形成できる。
【００３５】
さらに、図１２の様に第三上前折線１０を折り、第二前面９と前折返面５で、左前面２７と第二左前面２９、および右前面４２と第二右前面４４を挟んでいる。そして図１１Ｃの様に左折返面１４を左面１７の裏側に重ねその先端を後面４７の裏側に当接し、また、右折返面１６も右面３２の裏側に重ねその先端を後面４７の裏側に当接している。よって、第三上前折線１０で１８０度折曲がった前折返面１１が戻ることなく折ったままの状態で維持でき、より強度の高い箱を形成できる。
【００３６】
また、この包装箱１へ包装物を入れる際には、図１３Ｃから図１３Ｂの様に上面５６を起こして開けるが、このとき図１３Ｃの様に指掛け部６６があり、そのぶん差込折線６０とその下にある差込面６１が露出しているため直接指で触って開け易く、露出した差込面６１に表示等を印刷しておけば開け方も判り易い。上面５６を起こしたら、図１Ｂの様に開口部へまずインクカセット２を２ヶ挿入し、前面５の内側に接する様に、前側へ移動させる。すると後面４７の側が空間になるので、そこへペーパーセット３を６ヶ入れ、上面５６を閉じる。取り出すときはこの逆で、まずペーパーセット３を６ヶ取り出してから、インクカセット２を２ヶ取り出すことができる。
【実施例２】
【００３７】
次に、本発明の第２実施例による、包装箱について説明する。
【００３８】
第１実施例が第２実施例と異なる点は、展開形状において、左前面の左下隅を一部切欠いて、左面と連なる第二左前折線の長さをその分短くし、同様に、右前面の右下隅も一部切欠いて、右面と連なる第二右前折線の長さもその分短くした事である。また、第二左前面の右上隅を一部切欠いて、第二前面と連なる第三左前折線の長さをその分短くし、同様に、第二右前面の左上隅を一部切欠いて、第二前面と連なる第三右前折線の長さもその分短くした事である。さらに、左前面と第二左前面を左上方向に面積拡大し、同様に、右前面と第二右前面も右上方向に面積拡大した事である。
【００３９】
図１４Ａに、第二実施例による包装箱の展開形状４を示す。１７は左面で、第一実施例と同様に、図１４Ｂの様に点１９から点２０に達する左斜折線２１にて第二左面２２を切欠かれ、第二左面２２は第二左前折線２５を介して第二上面７に接している。しかし第一実施例とは異なり、左前面７２は点２０から点７３まで右に伸びる左切欠線７４と点７３から上へ伸びる第二左切欠線７５によって欠損し、その分面積が小さい。かつ、第二左上折線７６も点２０ではなく点７３が起点となるのでその分短い。また、３２は右面であるが、こちら側も同様に、右前面７７が点３５から点７８まで左に伸びる右切欠線７９と点７８から上へ伸びる第二右切欠線８０によって欠損し、その分面積が小さい。かつ、第二右上折線８１も点３５ではなく点７８が起点となるのでその分短い。
【００４０】
また、第一実施例とは異なり、第二左前面８２は点３１から点８３まで下に伸びる左前切欠線８４と点８３から左へ伸びる第二左前切欠線８５によって欠損し、その分面積が小さい。かつ、第三左前折線８６も点３１ではなく点８３が起点となるのでその分短い。また、第二右前面８７も点４６から点８８まで下に伸びる右前切欠線８９と点８８から右へ伸びる第二右前切欠線９０によって欠損し、その分面積が小さい。かつ、第三右前折線９１も点４６ではなく点８８が起点となるのでその分短い。
【００４１】
さらに、第一実施例とは異なり、、左前面７２と第二左前面８２を左上方向に所定量だけ面積を拡大しており、その分だけ左中折線９２は長い。同様に、右前面７７と第二右前面８７も右上方向に所定量だけ面積を拡大しており、その分だけ右中折線９３も長い。
その他の構成は第一実施例と同様であるため同じ符号を付し、説明は省略する。同じく、これを糊貼りする方法についても同様なので省略する。
【００４２】
次に、これを包装箱１に立ち上げる方法を説明する。
【００４３】
まず図１５Ａの様に５面構成の箱を形成するが、この過程は第一実施例と同様である。
【００４４】
次に、図１５Ｂの様に、左面１７と右面３２が互いに離反する様に引張って湾曲させ、第二左上折線７６と第二上前折線８と第二右上折線８１の各折線を略一直線上に揃えて図１６Ａから図１６Ｂの様に１８０度谷折りする。このとき、第二実施例は第一実施例と異なり、第二左上折線７６は点２０ではなく点７３が起点となるのでその分短く、かつ第二右上折線８１も点３５ではなく点７８が起点となるのでその分短い。したがって点７３から点７８までを一直線に揃えればよく、第一実施例よりも短いのでなお簡単に各折線を揃えることが可能であり、各折線をより無理なくスムーズに１８０度折りすることができる。
【００４５】
さて、図１６Ｂの様に第二左上折線７６と第二上前折線８と第二右上折線８１を１８０度折った状態で、次に図１７Ａの様に第三左前折線８６と第三右前折線９１を折る。すると、一緒に第二左前折線２５と第二右前折線４０も９０度に折られ、左面１７と右面３２の湾曲も元に戻って図１７Ｂの状態になる。ここで第二左上折線７６と第二右上折線８１をしっかり１８０度折りしてクセを付けておくと、紙材のコシによって第二左上折線７６と第二右上折線８１の折り曲げが戻るのを防止できて、以後の作業が容易になる。
【００４６】
このとき、第二実施例は第一実施例と異なり、左前面７２は左切欠線７４と第二左切欠線７５によって欠損している。つまり左前面７２は点２０まで達しておらず第二左上折線７６と直交する第二左切欠線７５によって切られているので、第二左上折線７６を１８０度に折る作業がより容易である。同様に、右前面７７も右切欠線７９と第二右切欠線８０によって欠損している。つまり右前面７７は点３５まで達しておらず第二右上折線８１と直交する第二右切欠線８０によって切られているので、第二右上折線８１を１８０度に折る作業がより容易である。
【００４７】
また、第二実施例は第一実施例と異なり、第二左前面８２は左前切欠線８４と第二左前切欠線８５によって欠損している。つまり第二左前面８２は点３１まで達しておらず第三左前折線８６と直交する第二左前切欠線８５によって切られているので、第三左前折線８６を９０度に折る作業がより容易である。同様に、第二右前面８７も右前切欠線９０と第二右前切欠線９１によって欠損している。つまり第二右前面８７は点４６まで達しておらず第三右前折線９１と直交する第二右前切欠線９０によって切られているので、第三右前折線９１を９０度に折る作業がより容易である。
【００４８】
次に、図１８Ａの様に、左中折線９２と右中折線９３を折りながら第二前面９と前折返面１１を起こし、そのまま図１８Ｂの様に第二上前折線８を１８０度折りから９０度に戻す。同時に第三左前折線８６と第三右前折線９１を９０度から１８０度に折り、左中折線９２と右中折線９３も１８０度折りして共にしっかりクセを付ける。すると第二前面９と前折返面１１が前面５と平行になるので、図１９の様に左折返線１３と右折返線１５を折り、第三上前折線１０も折る。このとき第二前面９の裏側には、左中折線９２で１８０度折りされた左前面７２と第二左前面８２と、右中折線９３で１８０度折りされた右前面７７と第二右前面８７がある。そこで第三上前折線１０を１８０度山折りしてこれらをサンドイッチする様に挟む。このとき、第二実施例は第一実施例と異なり、左前面７２と第二左前面８２を左上方向に所定量だけ面積を拡大し、右前面７７と第二右前面８７も左上方向に所定量だけ面積を拡大しているので、その分大きく、挟む作業がやり易い。
【００４９】
その後は第一実施例と同様に、左折返線１３と右折返線１５を９０度に戻し、図１３と同様に左フラップ２４と右フラップ３９とを倒してから差込折線６０を折って差込面６１を差し込み、包装箱１を完成させる。
【符号の説明】
【００５０】
１  包装箱、２  インクカセット、３  ペーパーセット、４  展開形状、５  前面、
６  上前折線、７  第二上面、８  第二上前折線、９  第二前面、１０  第三上前折線、
１１  前折返面、１２  切欠き部、１３  左折返線、１４  左折返面、１５  右折返線、
１６  右折返面、１７  左面、１８  左前折線、１９  点、２０  点、２１  左斜折線、
２２  第二左面、２３  左上折線、２４  左フラップ、２５  第二左前折線、
２６  第二左上折線、２７  左前面、２８  左中折線、２９  第二左前面、
３０  第三左前折線、３１  点、３２  右面、３３  右前折線、３４  点、３５  点、
３６  右斜折線、３７  第二右面、３８  左上折線、３９  右フラップ、
４０  第二右前折線、４１  第二右上折線、４２  右前面、４３  右中折線、
４４  第二右前面、４５  第三右前折線、４６  点、４７  後面、４８  左後折線、
４９  糊貼り面、５０  右後折線、５１  吊下折線、５２  吊下面、
５３  第二吊下折線、５４  第二吊下面、５５  上後折線、５６  上面、５７  吊下穴、
５８  吊下穴、５９  糊貼り部、６０  差込折線、６１  差込面、６２〜６５  下面、
７１  展開形状（第二実施例、以下同じ）、７２  左前面、７３  点、７４  左切欠線、
７５  第二左切欠線、７６  第二左上折線、７７  右前面、７８  点、７９  右切欠線、
８０  第二右切欠線、８１  第二右上折線、８２  第二左前面、８３  点、
８４  左前切欠線、８５  第二左前切欠線、８６  第三左前折線、８７  第二右前面、
８８  点、８９  右前切欠線、９０  第二右前切欠線、９１  第三右前折線、
９２  左中折線、９３  右中折線、１０１  包装箱（従来例、以下同じ）、
１０２  インクカセット、１０３  ペーパーセット、１０４  緩衝材
【図１】
2017065789.tif 000003
【図２】
2017065789.tif 000004
【図３】
2017065789.tif 000005
【図４】
2017065789.tif 000006
【図５】
2017065789.tif 000007
【図６】
2017065789.tif 000008
【図７】
2017065789.tif 000009
【図８】
2017065789.tif 000010
【図９】
2017065789.tif 000011
【図１０】
2017065789.tif 000012
【図１１】
2017065789.tif 000013
【図１２】
2017065789.tif 000014
【図１３】
2017065789.tif 000015
【図１４】
2017065789.tif 000016
【図１５】
2017065789.tif 000017
【図１６】
2017065789.tif 000018
【図１７】
2017065789.tif 000019
【図１８】
2017065789.tif 000020
【図１９】
2017065789.tif 000021
【図２０】
2017065789.tif 000022